(57)【要約】【課題】記憶容量に制限のある機器を使用する場合であっても、精度良くテキストを読み上げ可能なテキスト読み上げシステム及び方法を提供する。【解決手段】端末間のデータの送受信を管理するサーバと、サーバを利用する複数の端末がネットワークを介して接続されている環境におけるテキスト読み上げ方法であって、サーバが、大規模な単語辞書を使用して、所定の端末を宛先として送信されるテキストデータについて単語解析を行い、大規模な単語辞書には含まれているが宛先となる端末に用意されている単語辞書には含まれていない単語及び当該単語をどのように読み上げるのかに関する情報である読み情報を抽出し、宛先となる端末用のユーザ辞書として作成して端末へと配信し、端末において、配信された端末用のユーザ辞書と、事前に用意されている単語辞書を参照して、送信されたデータに含まれるテキストデータを音声に変換する。【選択図】　図３
2004013122.tif 000002
【特許請求の範囲】
【請求項１】
端末間のデータの送受信を管理するサーバと、前記サーバを利用する複数の端末がネットワークを介して接続されている環境におけるテキスト読み上げシステムであって、
前記サーバが、
大規模な単語辞書を使用して、所定の端末を宛先として送信されるテキストデータについて単語解析を行う単語解析部と、
前記大規模な単語辞書には含まれているが宛先となる端末に用意されている単語辞書には含まれていない単語及び前記単語をどのように読み上げるのかに関する情報である読み情報を抽出し、宛先となる前記端末用のユーザ辞書として作成するユーザ辞書作成／編集部と、
宛先となる前記端末用のユーザ辞書を前記端末へと配信するユーザ辞書配信部とを含み、
前記端末において、
配信された前記サーバで作成された前記端末用のユーザ辞書と、事前に用意されている単語辞書を参照して、送信されたデータに含まれるテキストデータを音声に変換することを特徴とするテキスト読み上げシステム。
【請求項２】
前記端末から前記サーバに対して前記端末用のユーザ辞書の配信を請求し、前記サーバが請求に応じて前記端末用のユーザ辞書を配信する請求項１に記載のテキスト読み上げシステム。
【請求項３】
前記サーバが前記端末に対するデータ配信時に前記テキストデータと前記端末用のユーザ辞書を配信する請求項１又は２に記載のテキスト読み上げシステム。
【請求項４】
端末間のデータの送受信を管理するサーバと、前記サーバを利用する複数の端末がネットワークを介して接続されている環境におけるテキスト読み上げ方法であって、
前記サーバが、
大規模な単語辞書を使用して、所定の端末を宛先として送信されるテキストデータについて単語解析を行う工程と、
前記大規模な単語辞書には含まれているが宛先となる端末に用意されている単語辞書には含まれていない単語及び前記単語をどのように読み上げるのかに関する情報である読み情報を抽出し、宛先となる前記端末用のユーザ辞書として作成する工程と、
宛先となる前記端末用のユーザ辞書を前記端末へと配信する工程とを含み、
前記端末において、
配信された前記サーバで作成された前記端末用のユーザ辞書と、事前に用意されている単語辞書を参照して、送信されたデータに含まれるテキストデータを音声に変換することを特徴とするテキスト読み上げ方法。
【請求項５】
端末間のデータの送受信を管理するサーバと、前記サーバを利用する複数の端末がネットワークを介して接続されている環境におけるテキスト読み上げ方法を具現化する前記サーバにおけるコンピュータ実行可能なプログラムであって、
大規模な単語辞書を使用して、所定の端末を宛先として送信されるテキストデータについて単語解析を行うステップと、
前記大規模な単語辞書には含まれているが宛先となる端末に用意されている単語辞書には含まれていない単語及び前記単語をどのように読み上げるのかに関する情報である読み情報を抽出し、宛先となる前記端末用のユーザ辞書として作成するステップと、
宛先となる前記端末用のユーザ辞書を前記端末へと配信するステップとを含むことを特徴とするコンピュータ実行可能なプログラム。
【発明の詳細な説明】
【０００１】
【発明の属する技術分野】
本発明は、記憶容量に制限のある携帯端末等であっても正確な読み上げを可能とするテキスト読み上げシステム及び方法に関する。
【０００２】
【従来の技術】
昨今のコンピュータ環境の急速な進展に伴い、演算処理負荷の大きい音声合成技術を用いたアプリケーションの開発も多様になってきている。最近では、カーナビゲーションや電話応答システム等の従来からの応用分野に加えて、携帯電話やＰＤＡ（Ｐｅｒｓｏｎａｌ　Ｄｉｇｉｔａｌ　Ａｓｓｉｓｔａｎｔ）等の携帯端末にも適用されており、電子メール等のテキストデータを読み上げるのに用いられている。かかるアプリケーションにおいては、視覚障害者や年配者がこれらの機材を使用する際の大きな手助けとなるとともに、健常者にとっても、画面に目を奪われずにテキストの内容を知ることができ、特にハンズフリーが要求される局面において利便性の高いものとなっている。
【０００３】
図１は、従来の一般的なテキスト読み上げシステムのブロック構成図である。図１において、テキストデータが入力されると、言語処理部１における単語解析部１１では、システムが共通して用意しているシステム辞書１２と、テキスト作成者が個々に設定したユーザ辞書１３の２つの単語辞書を使用して、テキストの文字列を単語に分割する。そして、構文解析部１４において、各単語の係り受け情報を解析し、ポーズのとり方等の情報を生成することになる。
【０００４】
次に、音響処理部２における韻律生成部２１では、テキスト中の各音の時間長やピッチ周波数パターンを設定し、波形生成部２２では、音声素片データ記憶部２３に記憶されている音声素片データを、韻律生成部２１で設定した各音の時間長やピッチ周波数パターン等に従って繋ぎ合わせることによって音声波形を生成する。
【０００５】
アプリケーションへの適用例として、テキスト読み上げシステムを搭載した電子メールシステムの構成例を図２に示す。図２において、通信ネットワーク２０１上にメールサーバ１０１と複数の端末Ａ３１〜Ｘ５１が接続されている。他の端末から端末Ａ３１に送信されたメールは、メール送受信部３０１で受信される。メールを音声で読み上げる場合には、音声合成部３０２がシステムにあらかじめ用意されたシステム辞書３０４とユーザが個々に設定するユーザ辞書３０５を使用して、音声波形を生成する。
【０００６】
ここで音声合成部３０２は、図１における単語解析部１１、構文解析部１４、韻律生成部２１、波形生成部２２、音声素片データ２３を含んでいる。生成された音声波形は、音声出力部３０３によって出力される。音声出力に読み誤りがある場合等については、ユーザが各々にユーザ辞書編集部３０６を使用することによって、ユーザ辞書３０５を更新する。
【０００７】
【発明が解決しようとする課題】
一般に、テキストデータの読み上げ精度は、上述した２つの単語辞書に格納されている語彙数に影響されるところが大きい。しかし、携帯端末等においては、軽量かつコンパクトであることが求められることから、記憶装置の小サイズ化に伴う記憶容量の削減が必須となる。したがって、テキスト読み上げシステムを携帯端末等に搭載する場合、単語辞書の語彙数が、ＰＣ向けソフトウェアや据え置き型の装置における単語辞書の語彙数よりも大きく削減されている場合が多い。そのため、テキストデータの読み上げ精度が、通常よりも低くなる傾向にあるという問題点があった。
【０００８】
例えば、人の姓や名は数十万種類あると考えられている。したがって、携帯端末等におけるシステム辞書の記憶装置の容量制限によって、頻度の高い数千種類の姓のみが格納されている場合には、当該システム辞書に格納されていない姓については誤って読み上げられる可能性が高くなる。
【０００９】
具体的には、「阿久津」という姓は、システム辞書に読みが「アクツ」であると格納されていれば正しく読み上げられるものの、システム辞書に「アクツ」という読みが格納されていなければ、単独の漢字の読みを組み合わせて「アヒサツ」と誤って読み上げられることになる。
【００１０】
一方、端末Ａ３１の使用者や知人に「阿久津」さんという人が実在する場合、端末Ａ３１に送信されるメールには、高頻度で「阿久津」という文字列が含まれることが多いものと考えられる。しかし、「阿久津」という姓は一般的に頻度の高い姓ではないことから、当該姓はシステム辞書ではなく、ユーザ辞書に登録して対応することになる。
【００１１】
ところが、ユーザ辞書の単語登録には、表記、読み、アクセント、品詞等の情報を登録する必要があり、特に携帯端末においては操作が複雑になることもあって、一般ユーザには登録作業がやや困難であるという問題点も残されている。
【００１２】
かかる問題点を解消するために、特開平９−１３５２６４号公報においては、テキスト変換サーバを用意し、電子メールのテキスト変換（言語処理）を全てサーバ側で行い、その結果である読み／韻律情報をユーザ端末に出力するシステムが開示されている。
【００１３】
しかし、かかるシステムにおいては、端末側に言語処理が用意されていないことから、ユーザがテキスト読み上げを行うごとにメールサーバにアクセスする必要があり、携帯端末としての利便性を損なうおそれが生じる。
【００１４】
あるいは、特開２０００−２０４１７号公報においては、メール発信者がユーザ辞書情報をメールに添付し、メールサーバが音声合成をする際に、システム辞書の他に添付されたユーザ辞書を使用する方法が開示されている。
【００１５】
しかし、かかる方法においては、メール発信者がユーザ辞書を編集する必要が生じるとともに、通信回線上をメール交換の都度ユーザ辞書が送受信されることになり、回線負荷が大きくなってしまうという問題点も残されていた。
【００１６】
本発明は、上記問題点を解決するために、携帯端末等の記憶容量に制限のある機器を使用する場合であっても、精度良くテキストを読み上げることができるテキスト読み上げシステム及び方法を提供することを目的とする。
【００１７】
【課題を解決するための手段】
上記目的を達成するために本発明にかかるテキスト読み上げシステムは、端末間のデータの送受信を管理するサーバと、サーバを利用する複数の端末がネットワークを介して接続されている環境におけるテキスト読み上げシステムであって、サーバが、大規模な単語辞書を使用して、所定の端末を宛先として送信されるテキストデータについて単語解析を行う単語解析部と、大規模な単語辞書には含まれているが宛先となる端末に用意されている単語辞書には含まれていない単語及び当該単語をどのように読み上げるのかに関する情報である読み情報を抽出し、宛先となる端末用のユーザ辞書として作成するユーザ辞書作成／編集部と、宛先となる端末用のユーザ辞書を端末へと配信するユーザ辞書配信部とを含み、端末において、配信されたサーバで作成された端末用のユーザ辞書と、事前に用意されている単語辞書を参照して、送信されたデータに含まれるテキストデータを音声に変換することを特徴とする。
【００１８】
かかる構成により、記憶容量に制限のある携帯端末等に、テキスト読み上げ精度を大容量システム辞書使用時と同等にする必要最小限のシステム辞書を構築することができ、記憶容量に制限のある場合であっても精度良くテキスト読み上げを実現することが可能となる。
【００１９】
また、本発明にかかるテキスト読み上げシステムは、サーバから端末に対して、端末用のユーザ辞書を定期的に送信することが好ましい。あるいは、端末からサーバに対して端末用のユーザ辞書の配信を請求し、サーバが請求に応じて端末用のユーザ辞書を配信することが好ましい。アプリケーションに応じて任意のタイミングでユーザ辞書を更新すれば足りるからである。
【００２０】
また、本発明にかかるテキスト読み上げシステムは、サーバが端末に対するデータ配信時にテキストデータと端末用のユーザ辞書を配信することが好ましい。特に電子メールシステム等においては、メールが送信されると同時に更新されたユーザ辞書を入手することができるからである。
【００２１】
また、本発明は、上記のようなテキスト読み上げシステムの機能をコンピュータの処理ステップとして実行するソフトウェアを特徴とするものであり、具体的には、端末間のデータの送受信を管理するサーバと、サーバを利用する複数の端末がネットワークを介して接続されている環境におけるテキスト読み上げ方法であって、サーバが、大規模な単語辞書を使用して、所定の端末を宛先として送信されるテキストデータについて単語解析を行う工程と、大規模な単語辞書には含まれているが宛先となる端末に用意されている単語辞書には含まれていない単語及び当該単語をどのように読み上げるのかに関する情報である読み情報を抽出し、宛先となる端末用のユーザ辞書として作成する工程と、宛先となる端末用のユーザ辞書を端末へと配信する工程とを含み、端末において、配信されたサーバで作成された端末用のユーザ辞書と、事前に用意されている単語辞書を参照して、送信されたデータに含まれるテキストデータを音声に変換するテキスト読み上げ方法並びにそのような工程を具現化するコンピュータ実行可能なプログラムであることを特徴とする。
【００２２】
かかる構成により、コンピュータ上へ当該プログラムをロードさせ実行することで、記憶容量に制限のある携帯端末等に、テキスト読み上げ精度を大容量システム辞書使用時と同等にする必要最小限のシステム辞書を構築することができ、記憶容量に制限のある場合であっても精度良くテキスト読み上げを行うことができるテキスト読み上げシステムを実現することが可能となる。
【００２３】
【発明の実施の形態】
以下、本発明の実施の形態にかかるテキスト読み上げシステムについて、図面を参照しながら説明する。図３は本発明の実施の形態にかかるテキスト読み上げシステムの構成図である。
【００２４】
図３に示すように、メールサーバ１０１を含むサーバ１１０に、単語解析部１０２、ユーザ辞書作成／編集部１０３、ユーザ辞書配信部１０４、システム辞書（大）１０５、システム辞書（小）１０６、端末Ａ〜端末Ｘ向けユーザ辞書１０７〜１０８を用意する。ここでシステム辞書（大）１０５は、大容量かつ豊富な語彙を有する単語辞書であり、システム辞書（小）１０６は、システム辞書（大）１０５のサブセットの語彙を有するやや小容量の単語辞書を意味する。したがって、システム辞書（小）１０６に登録されている語彙は全てシステム辞書（大）１０５に含まれているものである。そして、システム辞書（小）１０６は、端末Ａ〜端末Ｘに共通して用意されたシステム辞書（小）３０４と同一の内容となる。
【００２５】
通信ネットワーク２０１に接続された複数端末の一個である端末Ａ３１には、従来例と同様、メール送受信部３０１、音声合成部３０２、システム辞書（小）３０４、ユーザ辞書３０５、音声出力部３０３の他に、ユーザ辞書編集部３０６が用意されている。
【００２６】
メールサーバ１０１が、端末Ａ３１を宛先として送信されたメールを受信すると、単語解析部１０２において、システム辞書（大）１０５を参照しながら単語に分割される。そして、ユーザ辞書作成／編集部１０３は、当該メールに含まれる単語のうちシステム辞書（小）１０６に含まれない単語を、端末Ａ用ユーザ辞書１０７に格納する。端末Ｂ〜端末Ｘを宛先としてメールサーバに届いたメールに関しても同様の処理を行い、それぞれの端末用ユーザ辞書１０７〜１０８に、システム辞書（小）１０６に含まれていない単語を、それぞれ格納する。
【００２７】
こうして作成／編集された端末Ａ用ユーザ辞書の内容は、ユーザ辞書配信部１０４によって、メールと共に端末Ａに配信される。端末Ａ３１では、ユーザ辞書編集部３０６を使用して、端末のユーザ辞書３０５を更新することによって、メール配信時においては大容量のシステム辞書（大）１０５を使用するのと同様の精度で、メール内容（テキストデータ）の読み上げを行うことが可能となる。
【００２８】
また、ユーザ辞書の配信タイミングについても、様々なタイミングで配信することが考えられる。まず図４に示すように、定期的に配信を行うように制御することが考えられる。この場合、定期配信制御部１０９を設けることが必要となる。
【００２９】
定期配信制御部１０９は、各端末に対する各端末用ユーザ辞書１０７〜１０８の配信記録を有しており、前回配信されてから一定時間経過時において、定期的に各端末用ユーザ辞書１０７〜１０８を各端末へ送信するよう制御するものである。例えば端末Ａ用ユーザ辞書１０７は、ユーザ辞書配信部１０４によって一定期間ごとに端末Ａに配信されることになる。
【００３０】
また、時間的な間隔のみならず、例えば各端末用ユーザ辞書１０７〜１０８の更新量が一定値に到達した時点において、定期的に各端末用ユーザ辞書１０７〜１０８を各端末へ送信するよう制御するものであっても良い。
【００３１】
あるいは、図５に示すように、必要に応じてサーバ１１０にアクセスした時点で配信することも考えられる。この場合、端末Ａ３１にユーザ辞書請求部３０７を設けており、当該ユーザ辞書請求部３０７において、必要に応じてサーバ１１０にアクセスし、請求者が使用する端末用のユーザ辞書１０７〜１０８の配信を請求する。
【００３２】
一方、サーバ１１０は請求配信制御部１１１を有しており、端末Ａ３１からの請求に応じて、端末Ａ用ユーザ辞書１０７をユーザ辞書配信部１０４を介して端末Ａ３１に配信する。端末Ａ３１では、ユーザ辞書編集部３０６を使用して、端末におけるユーザ辞書３０５を更新することになる。
【００３３】
なお、それぞれの端末用ユーザ辞書１０７〜１０８に格納される内容としては、システム辞書（小）１０６に含まれていない単語に限定されるものではなく、例えばそれぞれの端末におけるユーザ辞書のレプリカをサーバ１１０上で保存しておき、当該辞書とマージした新たなユーザ辞書として格納することも考えられる。この場合には、配信されるのはそれぞれの端末用ユーザ辞書そのものとなる。
【００３４】
この場合、図６に示すように、サーバ１１０がユーザ辞書添付部１１２を有し、端末Ａ用ユーザ辞書１０７を端末Ａを宛先とするメールに添付して端末Ａ３１に送信する。端末Ａ３１では、ユーザ辞書編集部３０６において受信したメールから、添付された端末Ａ用ユーザ辞書１０７を抽出し、既存のユーザ辞書３０５と置換することになる。
【００３５】
次に、本発明の実施の形態にかかるテキスト読み上げシステムを実現するプログラムの処理の流れについてメールを例として説明する。図７に本発明の実施の形態にかかるテキスト読み上げシステムを実現するサーバ１１０におけるプログラムの処理の流れ図を示す。
【００３６】
図７に示すように、まず任意の端末を宛先とするメールを受信し（ステップＳ７０１）、システム辞書（大）１０５を参照しながらメール内容を単語単位に分割する（ステップＳ７０２）。
【００３７】
次に、システム辞書（小）１０６を照会して、当該メール内容から抽出された単語が含まれているか否かを確認する（ステップＳ７０３）。当該メール内容から抽出された単語がシステム辞書（小）１０６に含まれていない場合には、当該単語及びその読みを、当該メールの宛先である端末用のユーザ辞書１０７に格納する（ステップＳ７０４）。
【００３８】
そして、更新された当該メールの宛先である端末用ユーザ辞書の内容をメールと共に当該端末へ配信することになる（ステップＳ７０５）。当該端末用ユーザ辞書の内容を受信した端末では、当該内容に基づいて当該端末におけるユーザ辞書３０５を更新することによって、送信されてくるメールの読み上げを、サーバ１１０に存在するシステム辞書（大）１０５を用いる場合と同一の精度で行うことが可能となる。
【００３９】
以上のように本実施の形態によれば、記憶容量に制限のある携帯端末等に、テキスト読み上げ精度を大容量システム辞書使用時と同等にする必要最小限のシステム辞書を構築することができ、記憶容量に制限のある場合であっても精度良くテキスト読み上げを実現することが可能となる。
【００４０】
特に電子メールにおける読み上げシステムにおいては、読み精度を向上するためにユーザが行うべきユーザ辞書設定自体も簡便化することができ、精度の高いテキスト読み上げを容易に実現することが可能となる。
【００４１】
なお、本発明の実施の形態にかかるテキスト読み上げシステムを実現するプログラムは、図８に示すように、ＣＤ−ＲＯＭ８２−１やフレキシブルディスク８２−２等の可搬型記録媒体８２だけでなく、通信回線の先に備えられた他の記憶装置８１や、コンピュータ８３のハードディスクやＲＡＭ等の記録媒体８４のいずれに記憶されるものであっても良く、プログラム実行時には、プログラムはローディングされ、主メモリ上で実行される。
【００４２】
また、本発明の実施の形態にかかるテキスト読み上げシステムにより生成された個人別辞書等についても、図８に示すように、ＣＤ−ＲＯＭ８２−１やフレキシブルディスク８２−２等の可搬型記録媒体８２だけでなく、通信回線の先に備えられた他の記憶装置８１や、コンピュータ８３のハードディスクやＲＡＭ等の記録媒体８４のいずれに記憶されるものであっても良く、例えば本発明にかかるテキスト読み上げシステムを利用する際にコンピュータ８３により読み取られる。
【００４３】
（付記１）　端末間のデータの送受信を管理するサーバと、前記サーバを利用する複数の端末がネットワークを介して接続されている環境におけるテキスト読み上げシステムであって、
前記サーバが、
大規模な単語辞書を使用して、所定の端末を宛先として送信されるテキストデータについて単語解析を行う単語解析部と、
前記大規模な単語辞書には含まれているが宛先となる端末に用意されている単語辞書には含まれていない単語及び前記単語をどのように読み上げるのかに関する情報である読み情報を抽出し、宛先となる前記端末用のユーザ辞書として作成するユーザ辞書作成／編集部と、
宛先となる前記端末用のユーザ辞書を前記端末へと配信するユーザ辞書配信部とを含み、
前記端末において、
配信された前記サーバで作成された前記端末用のユーザ辞書と、事前に用意されている単語辞書を参照して、送信されたデータに含まれるテキストデータを音声に変換することを特徴とするテキスト読み上げシステム。
【００４４】
（付記２）　前記サーバから前記端末に対して、前記端末用のユーザ辞書を定期的に送信する付記１に記載のテキスト読み上げシステム。
【００４５】
（付記３）　前記端末から前記サーバに対して前記端末用のユーザ辞書の配信を請求し、前記サーバが請求に応じて前記端末用のユーザ辞書を配信する付記１に記載のテキスト読み上げシステム。
【００４６】
（付記４）　前記サーバが前記端末に対するデータ配信時に前記テキストデータと前記端末用のユーザ辞書を配信する付記１から３のいずれか一項に記載のテキスト読み上げシステム。
【００４７】
（付記５）　端末間のデータの送受信を管理するサーバと、前記サーバを利用する複数の端末がネットワークを介して接続されている環境におけるテキスト読み上げ方法であって、
前記サーバが、
大規模な単語辞書を使用して、所定の端末を宛先として送信されるテキストデータについて単語解析を行う工程と、
前記大規模な単語辞書には含まれているが宛先となる端末に用意されている単語辞書には含まれていない単語及び前記単語をどのように読み上げるのかに関する情報である読み情報を抽出し、宛先となる前記端末用のユーザ辞書として作成する工程と、
宛先となる前記端末用のユーザ辞書を前記端末へと配信する工程とを含み、
前記端末において、
配信された前記サーバで作成された前記端末用のユーザ辞書と、事前に用意されている単語辞書を参照して、送信されたデータに含まれるテキストデータを音声に変換することを特徴とするテキスト読み上げ方法。
【００４８】
（付記６）　端末間のデータの送受信を管理するサーバと、前記サーバを利用する複数の端末がネットワークを介して接続されている環境におけるテキスト読み上げ方法を具現化する前記サーバにおけるコンピュータ実行可能なプログラムであって、
大規模な単語辞書を使用して、所定の端末を宛先として送信されるテキストデータについて単語解析を行うステップと、
前記大規模な単語辞書には含まれているが宛先となる端末に用意されている単語辞書には含まれていない単語及び前記単語をどのように読み上げるのかに関する情報である読み情報を抽出し、宛先となる前記端末用のユーザ辞書として作成するステップと、
宛先となる前記端末用のユーザ辞書を前記端末へと配信するステップとを含むことを特徴とするコンピュータ実行可能なプログラム。
【００４９】
【発明の効果】
以上のように本発明にかかるテキスト読み上げシステムによれば、記憶容量に制限のある携帯端末等に、テキスト読み上げ精度を大容量システム辞書使用時と同等にする必要最小限のシステム辞書を構築することができ、記憶容量に制限のある場合であっても精度良くテキスト読み上げを実現することが可能となる。
【図面の簡単な説明】
【図１】従来のテキスト読み上げシステムのブロック構成図
【図２】従来のテキスト読み上げシステムを備えた電子メールシステムの構成例示図
【図３】本発明の実施の形態にかかるテキスト読み上げシステムの構成図
【図４】本発明の実施例にかかるテキスト読み上げシステムの構成図
【図５】本発明の他の実施例にかかるテキスト読み上げシステムの構成図
【図６】本発明の他の実施例にかかるテキスト読み上げシステムの構成図
【図７】本発明の実施の形態にかかるテキスト読み上げシステムを実現するサーバにおけるプログラムの処理の流れ図
【図８】コンピュータ環境の例示図
【符号の説明】
１　言語処理部
２　音響処理部
１１、１０２　単語解析部
１２　システム辞書
１３、３０５　ユーザ辞書
１４　構文解析部
２１　韻律生成部
２２　波形生成部
２３　音声素片データ記憶部
３１　端末Ａ
４１　端末Ｂ
５１　端末Ｘ
１０１　メールサーバ
１０３　ユーザ辞書作成／編集部
１０４　ユーザ辞書配信部
１０５　システム辞書（大）
１０６、３０４　システム辞書（小）
１０７　端末Ａ用ユーザ辞書
１０８　端末Ｘ用ユーザ辞書
１０９　定期配信制御部
１１０　サーバ
１１１　請求配信制御部
１１２　ユーザ辞書添付部
２０１　ネットワーク
３０１　メール送受信部
３０２　音声合成部
３０３　音声出力部
３０６　ユーザ辞書編集部
３０７　ユーザ辞書請求部
８１　回線先の記憶装置
８２　ＣＤ−ＲＯＭやフレキシブルディスク等の可搬型記録媒体
８２−１　ＣＤ−ＲＯＭ
８２−２　フレキシブルディスク
８３　コンピュータ
８４　コンピュータ上のＲＡＭ／ハードディスク等の記録媒体
【図１】
2004013122.tif 000003
【図２】
2004013122.tif 000004
【図３】
2004013122.tif 000005
【図４】
2004013122.tif 000006
【図５】
2004013122.tif 000007
【図６】
2004013122.tif 000008
【図７】
2004013122.tif 000009
【図８】
2004013122.tif 000010